(57)【要約】      （修正有）【課題】ワイヤーとダンパー材を接触することなく配置することによってダンパー材への負荷を軽減して耐久性を向上でき、かつ、ダンパー材の硬化に多方面から赤外線を照射できるようにすることによって、硬化ムラを防止できるアクチュエーターを提供する。【解決手段】光ピックアップ１のレンズ２を保持するブロック体３を、ワイヤー１１、１２、１３、１４で支持してブロック体に巻設したコイル８、９とその外側に配置した磁石４、５による電磁界の変動調整によってフォーカス方向とトラッキング方向に微調整するアクチュエーター構造において、ワイヤーの長さ方向中途部分に内枠１５、１６、１７、１８とダンパー材２１を有する枠体２０を設置し、内枠１５は正面視正方形に形成し、内枠を配置した枠体の開口部は方形に形成し、内枠１５の中心にワイヤーを挿通し、開口部の周囲の内縁面と内枠１５の周囲の外縁面との間にダンパー材を介在させる。【選択図】図１
2005071553.tif 000002
【特許請求の範囲】
【請求項１】
光ピックアップにおけるレンズを保持するブロック体をワイヤーで支持して前記ブロック体に巻設されたコイルとその外側に配置された磁石による電磁界の変動調整によって前記レンズを保持するブロック体をフォーカス方向とトラッキング方向に微調整して移動させるようにしたアクチュエーターにおいて、前記ワイヤーの長さ方向中途部分に内枠とダンパー材を有する枠体が設置され、前記内枠は正面視正方形に形成され、この内枠が配置される前記枠体の開口部は方形に形成されており、前記内枠のほぼ中心箇所に前記ワイヤーが挿通され、前記枠体の開口部内に前記内枠が配設され、前記開口部の周囲の内縁面と前記内枠の周囲の外縁面との間に前記ダンパー材が介在されていて、前記ワイヤーが前記ダンパー材に直接接触せず、且つ前記ダンパー材を前記枠体の正面側と裏面側と側面側から紫外線を当てるようにして前記ダンパー材がこの紫外線の照射で硬化されるようにしたことを特徴とするアクチュエーター。
【請求項２】
光ピックアップにおけるレンズを保持するブロック体をワイヤーで支持して磁石とコイルの電磁の変動調整によって前記レンズを保持するブロック体をフォーカス方向とトラッキング方向に微調整して移動させるようにしたアクチュエーターにおいて、前記ワイヤーの長さ方向中途部分に内枠とダンパー材を有する枠体が設置され、前記内枠のほぼ中心箇所に前記ワイヤーが挿通され、前記枠体に穿設された開口部内に前記内枠が配設され、前記開口部の周囲の内縁面と前記内枠の周囲の外縁面との間に前記ダンパー材が介在されていて、前記ワイヤーが前記ダンパー材に直接接触せず、且つ前記ダンパー材を前記枠体の正面側と裏面側と側面側から紫外線を当てるようにして前記ダンパー材がこの紫外線の照射で硬化されるようにしたことを特徴とするアクチュエーター。
【請求項３】
前記内枠は正面視円形に形成されているとともに、前記枠体の開口部も正面視円形に形成され、この開口部と開口部内に配置される内枠との間隙の前記ダンパー材は円輪形状に形成されている請求項２に記載のアクチュエーター。
【発明の詳細な説明】
【技術分野】
【０００１】
本発明は、光ピックアップにおけるレンズを保持するブロック体をワイヤーで支持してブロック体に巻設されたコイルとその外側に配置された磁石による電磁界の変動調整によってレンズを保持するブロック体をフォーカス方向とトラッキング方向に微調整して移動させるようにしたアクチュエーターに関するものである。
【背景技術】
【０００２】
従来のこの種のアクチュエーターは、ワイヤーとダンパー材とが接触しているので、ワイヤーのフォーカス方向とトラッキング方向への動きによってダンパー材が擦り切れてしまうことがあるという問題があった。
また、ダンパー材を硬化させるときには、片側からだけ赤外線を照射できて、他の方向からは照射できないので、ダンパー材が硬化するときにムラが発生してしまうことがあるという問題があった。
【０００３】
第１の従来技術を図３、図４、図５、図６に示す。絶縁性の部材１１３に空隙部１１３Ａ―２を形成し、この形成した空隙部１１３Ａ―２に細長状部材１０３ａを配置し、更にこの空隙部１１３Ａ―２にダンパ部材１０３ｂの細径部１０３ｂ−３、接着剤１１８を配置した。（例えば、特許文献１参照）。
ところが、これにおいては、細長状部材１０３ａからなる支持ワイヤがダンパー部材１０３ｂに接触しているために、この細長状部材１０３ａからなる支持ワイヤが劣化する虞があり、また、ダンパー部材１０３ｂを硬化するために片側からだけ赤外線で照射することになり、このダンパー部材１０３ｂの内部を硬化させることが難しいという問題があった。
【０００４】
第２の従来技術を図７、図８、図９、に示す。可動部材２０２にコイル２０５、２０４と対物レンズ２０１とを配置し、可動部材２０２をベース２１１に対し、弾性支持部材２０３Ａ〜２０３Ｄで支持し、絶縁プレート２１３に収納部２１３Ａ−２，２１３Ｃ−２を形成し、この収納部２１３Ａ−２，２１３Ｃ−２に弾性支持部材２０３Ａ〜２０３Ｄを配置するとともに軟らかい接着剤２１８を充填する。（例えば、特許文献２参照）。
ところが、これにおいても、ダンパー部材２０３ｂに金属線２０３ａが接触しているためにこの金属線２０３ａが劣化する虞があり、また、ダンパー部材２０３ｂを硬化するために片側からだけ赤外線で照射するとこになり、このダンパー部材２０３ｂの内部を硬化させることが難しいという問題があった。
【０００５】
【特許文献１】特開平１０−６４０８８号公報
【特許文献２】特開平１０−１７７７２８号公報
【発明の開示】
【発明が解決しようとする課題】
【０００６】
本発明は上記従来の問題を解消し、ワイヤーとダンパー材を接触することなく配置することができダンパー材への負荷を軽減するこができて耐久性を向上させることができ、ダンパー材に正面側と裏面側と側面側とから赤外線を照射することができて、ダンパー材の全体を均等に硬化させることができて、組み立て誤差を軽減することができるアクチュエーターを提供することを目的としている。
【課題を解決するための手段】
【０００７】
本発明は、上記課題を解決するために提案されたものであって、請求項１に記載の発明は、光ピックアップにおけるレンズを保持するブロック体をワイヤーで支持して前記ブロック体に巻設されたコイルとその外側に配置された磁石による電磁界の変動調整によって前記レンズを保持するブロック体をフォーカス方向とトラッキング方向に微調整して移動させるようにしたアクチュエーターにおいて、前記ワイヤーの長さ方向中途部分に内枠とダンパー材を有する枠体が設置され、前記内枠は正面視正方形に形成され、この内枠が配置される前記枠体の開口部は方形に形成されており、前記内枠のほぼ中心箇所に前記ワイヤーが挿通され、前記枠体の開口部内に前記内枠が配設され、前記開口部の周囲の内縁面と前記内枠の周囲の外縁面との間に前記ダンパー材が介在されていて、前記ワイヤーが前記ダンパー材に直接接触せず、且つ前記ダンパー材を前記枠体の正面側と裏面側と側面側から紫外線を当てるようにして前記ダンパー材がこの紫外線の照射で硬化されるようにしたことを特徴としている。
【０００８】
請求項２に記載の発明は、光ピックアップにおけるレンズを保持するブロック体をワイヤーで支持して磁石とコイルの電磁の変動調整によって前記レンズを保持するブロック体をフォーカス方向とトラッキング方向に微調整して移動させるようにしたアクチュエーターにおいて、前記ワイヤーの長さ方向中途部分に内枠とダンパー材を有する枠体が設置され、前記内枠のほぼ中心箇所に前記ワイヤーが挿通され、前記枠体に穿設された開口部内に前記内枠が配設され、前記開口部の周囲の内縁面と前記内枠の周囲の外縁面との間に前記ダンパー材が介在されていて、前記ワイヤーが前記ダンパー材に直接接触せず、且つ前記ダンパー材を前記枠体の正面側と裏面側と側面側から紫外線を当てるようにして前記ダンパー材がこの紫外線の照射で硬化されるようにしたことを特徴とするアクチュエーター。
請求項３に記載の発明は、前記内枠は正面視円形に形成されているとともに、前記枠体の開口部も正面視円形に形成され、この開口部と開口部内に配置される内枠との間隙の前記ダンパー材は円輪形状に形成されている。
【発明の効果】
【０００９】
請求項１に記載の発明は、光ピックアップにおけるレンズを保持するブロック体をワイヤーで支持してブロック体に巻設されたコイルとその外側に配置された磁石による電磁界の変動調整によってレンズを保持するブロック体をフォーカス方向とトラッキング方向に微調整して移動させるようにしたアクチュエーターにおいて、ワイヤーの長さ方向中途部分に内枠とダンパー材を有する枠体が設置され、内枠は正面視正方形に形成され、この内枠が配置される枠体の開口部は方形に形成されており、内枠のほぼ中心箇所にワイヤーが挿通され、枠体の開口部内に内枠が配設され、開口部の周囲の内縁面と内枠の周囲の外縁面との間にダンパー材が介在されていて、ワイヤーがダンパー材に直接接触せず、且つダンパー材を枠体の正面側と裏面側と側面側から紫外線を当てるようにしてダンパー材がこの紫外線の照射で硬化されるようにしたものであるから、以下に述べる効果を奏する。
即ち、ワイヤーとダンパー材を接触することなく配置することができダンパー材への負荷を軽減するこができて耐久性を向上させることができ、ダンパー材に正面側と裏面側と側面側とから赤外線を照射することができて、ダンパー材の全体を均等に硬化させることができて、組み立て誤差を軽減することができる。
【００１０】
請求項２に記載の発明は、光ピックアップにおけるレンズを保持するブロック体をワイヤーで支持して磁石とコイルの電磁の変動調整によってレンズを保持するブロック体をフォーカス方向とトラッキング方向に微調整して移動させるようにしたアクチュエーターにおいて、ワイヤーの長さ方向中途部分に内枠とダンパー材を有する枠体が設置され、内枠のほぼ中心箇所にワイヤーが挿通され、枠体に穿設された開口部内に内枠が配設され、開口部の周囲の内縁面と内枠の周囲の外縁面との間にダンパー材が介在されていて、ワイヤーがダンパー材に直接接触せず、且つダンパー材を枠体の正面側と裏面側と側面側から紫外線を当てるようにしてダンパー材がこの紫外線の照射で硬化されるようにしたものであるから、以下に述べる効果を奏する。
即ち、ワイヤーとダンパー材を接触することなく配置することができダンパー材への負荷を軽減するこができて耐久性を向上させることができ、ダンパー材に正面側と裏面側と側面側とから赤外線を照射することができて、ダンパー材の全体を均等に硬化させることができて、組み立て誤差を軽減することができる。
【００１１】
請求項３に記載の発明は、内枠は正面視円形に形成されているとともに、枠体の開口部も正面視円形に形成され、この開口部と開口部内に配置される内枠との間隙のダンパー材は円輪形状に形成されているので、この開口部を形成し易く、ダンパー材を開口部と開口部内に配置される内枠との間隙を均等にすることができ、しかも、この円輪形状の間隙にダンパー材を配置し易く、このダンパー材をより一層均等に硬化させることができる。
【発明を実施するための最良の形態】
【００１２】
以下、本発明に係るアクチュエーターの実施の形態について、図を参照しつつ説明する。
図１は本発明の第１実施形態のアクチュエーターを示し、（ａ）はその全体構造を示す斜視図、（ｂ）はその要部の拡大斜視図である。
この第１実施形態のアクチュエーターは、図１（ａ）に示すように、光ピックアップ１のレンズ２を保持するブロック体３の前後近傍箇所に、磁石４、５が配置され、ブロック体３の内側に、ヨーク６、７が配置されている。ブロック体３には、図１（ｂ）に示すように、その水平向き周囲にフォーカスコイル８が巻設され、その前後面にトラッキングコイル９が配置されている。
【００１３】
このブロック体３の左右側面の取付板１０、１０には、左右それぞれ２本で計４本のワイヤー１１、１２、１３、１４の先端が取り付けられていて、これら４本のワイヤー１１、１２、１３、１４でブロック体３が支持されていて、磁石４、５とフォーカスコイル８、トラッキングコイル９による電磁界の変動調整によって、レンズ２を保持するブロック体３をフォーカス方向とトラッキング方向に微調整して移動させるようにしている。
更に、ワイヤー１１、１２、１３、１４の長さ方向中途部分に内枠１５、１６、１７、１８とダンパー材１９を有する枠体２０が設置されている。内枠１５、１６、１７、１８は正面視正方形に形成され、これらの内枠１５、１６、１７、１８が配置される枠体２０の開口部は方形に形成されている。また、内枠１５、１６、１７、１８のほぼ中心箇所にワイヤー１１、１２、１３、１４が挿通され、枠体２０の開口部内に内枠１５、１６、１７、１８が配設され、開口部の周囲の内縁面と内枠１５、１６、１７、１８の周囲の外縁面との間にダンパー材２１がそれぞれ介在されている。
【００１４】
そして、ワイヤー１１、１２、１３、１４が内枠１５、１６、１７、１８によって各ダンパー材２１に直接接触しないようにしている。また、枠体２０は独立した位置に配置されているので、ダンパー材２１を枠体２０の正面側と裏面側と側面側から紫外線を当てるようにしてダンパー材２２がこの紫外線の照射で均等に硬化されるようにしている。
この第１実施形態によれば、ワイヤー１１、１２、１３、１４とダンパー材２１とを接触することなく配置することができダンパー材２１への負荷を軽減するこができて耐久性を向上させることがでる。更に、各ダンパー材２１に正面側と裏面側と側面側とから赤外線を照射することができて、各ダンパー材２１の全体を均等に硬化させることができて、組み立て誤差を軽減することができる。
【００１５】
図２は第２実施形態のアクチュエーターの要部の斜視図である。尚、上記した第１実施形態における同一部材、同一箇所には、同一符号を付してその説明を省略する。
この第２実施形態のアクチュエーターは、図２に示すように、内枠１５、１６、１７、１８は正面視円形に形成されているとともに、枠体２０の開口部も正面視円形に形成され、この開口部と開口部内に配置される内枠１５、１６、１７、１８との間隙のダンパー材２１は円輪形状に形成されている。
【００１６】
この第２実施形態によれば、枠体２０の開口部を形成し易く、ダンパー材２１を開口部と開口部内に配置される内枠１５、１６、１７、１８との間隙を均等にすることができ、しかも、この円輪形状の間隙にダンパー材２１を配置し易く、このダンパー材２１をより一層均等に硬化させることができる。
【図面の簡単な説明】
【００１７】
【図１】本発明の第１実施形態のアクチュエーターを示し、（ａ）はその全体構造を示す斜視図、（ｂ）はその要部の拡大斜視図である。
【図２】第２実施形態のアクチュエーターの要部の斜視図である。
【図３】従来の第１例の対物レンズ駆動装置を示す斜視図である。
【図４】同装置の分解斜視図である。
【図５】同装置の一部分を示し、（ａ）はその左側から見た断面図、（ｂ）はその正面から見た断面図、（ｃ）はその右側から見た断面図である。
【図６】同装置の一部分の別例を示す拡大断面図である。
【図７】従来の第２例の対物レンズ駆動装置を示す斜視図である。
【図８】同装置の分解斜視図である。
【図９】同装置の一部分を示し、（ａ）はその左側から見た断面図、（ｂ）はその正面から見た断面図、（ｃ）はその右側から見た断面図である。
【符号の説明】
【００１８】
１        光ピックアップ
２        レンズ
３        ブロック体
４        磁石
５        磁石
８        フォーカスコイル
９        トラッキングコイル
１１      ワイヤー
１２      ワイヤー
１３      ワイヤー
１４      ワイヤー
１５      内枠
１６      内枠
１７      内枠
１８      内枠
２０      枠体
２１      ダンパー材
【図１】
2005071553.tif 000003
【図２】
2005071553.tif 000004
【図３】
2005071553.tif 000005
【図４】
2005071553.tif 000006
【図５】
2005071553.tif 000007
【図６】
2005071553.tif 000008
【図７】
2005071553.tif 000009
【図８】
2005071553.tif 000010
【図９】
2005071553.tif 000011